(57)【特許請求の範囲】
【請求項１】
単管などで形成された足場に工事用シートを設置するに際し、
前記足場の縦地単管における最上層と最下層に、首振り自在のハトメフックを備えた吊車が断面内を長さ方向に走行できるように形成した断面略Ｕ状のガイドレールを、当該レールのＵ状溝を足場の上下層で前記溝の開口を対面させ水平姿勢で架設し、
前記足場の最下層において高さ方向で少なくとも２枚を接続した工事用シートを、そのシートの高さ方向に沿って折畳み、折畳み状態の当該シートの最上辺のハトメを、前記最上層のＵ状溝を下向きにしたガイドレールと略同断面のショートレールを有するシート搬送手段が備えた前記吊車のハトメフックに掛止し、
該掛止状態で前記搬送手段を前記足場の最上位に設けている昇降機構によって当該足場の最下層から最上層に吊り上げ、
その最上層で前記搬送手段のショートレールを前記足場のガイドレールに接続し、前記ハトメフックにシートを吊下している吊車を、前記ショートレール内からガイドレール内に走行させて移載すると共に、
前記足場の最下層のＵ状溝を上向きにしたガイドレールに、上向きにハトメフック有する吊車を収装し、当該吊車のハトメフックに前記シートの最下辺のハトメを掛止させ、
前記折畳み状態のシートを前記上下のガイドレール内で吊車を走行させて拡開することにより、前記シートを足場に張設し、
工事中、又は、用済み後、拡開していた前記シートをハトメフックで掛止している吊車を前記上下のガイドレール内で走行させて当該シートを折畳み状態にする、
ことを特徴とする工事用シートの設置方法。
【請求項２】
上下のガイドレール内においてシートを掛止している吊車を走行させて前記シートを拡開状態から折畳み状態にし、折畳んだ当該シートを掛止した吊車を、前記最上層のガイドレールの一側端に接続されたシート搬送手段のショートレール内に走行させて移載し、該搬送手段を昇降機構により足場の最下層側へ降下させ前記シートを前記足場の最下層に引き下ろす請求項１の設置方法。
【請求項３】
（イ）単管等で形成した高層足場の最上層に位置した縦地単管にクランプによって水平姿勢で架設されるＵ状溝を下向きにしたガイドレールであって、そのガイドレールは、長さ方向の一端部に接続用ソケットを備えると共に他端部に他のガイドレールの接続用ソケットに嵌まる接続部を具備して成り、そのガイドレールの複数本を、先行するガイドレールの接続部に次のガイドレールの接続ソケットを順次嵌めて接続し前記足場における正面等の左右幅全域に亘り設置する、
（ロ）前記ガイドレールと同じガイドレールを、そのＵ状溝を上向きにして前記足場の最下層の縦地単管に、前記最上位のガイドレールと同じ接続態様でクランプにより水平姿勢で架設する、
（ハ）前記足場における最上層のガイドレールの上方に、工事用シート等の仮設資材を引き上げると共に、前記仮設資材を引き下すための昇降機構を設置する、
（ニ）前記仮設資材の一つは、工事用シートのハトメを掛止するハトメフックを首振り自在に備えた少なくとも２個の吊車を断面内に有する、前記ガイドレールの接続部と同断面のショートレールを主体にしたシート搬送手段であり、該搬送手段は、当該足場の最下層から最上層まで前記昇降機構によって昇降させる、
（ホ）高さ方向で接続した少なくとも２枚の工事用シートをその高さ方向に沿って折畳み、この折畳み状態のシートを、足場の最下層に降下させた前記搬送手段に、そのショートレールが備える吊車のハトメフックに当該シート最上辺の少なくとも両端のハトメを引掛けて支持させ、この支持状態で前記昇降機構を上昇させる、
（ヘ）上昇させられる搬送手段が前記足場の最上層のガイドレールと略同高に到達したら、前記搬送手段のショートレールを、前記足場の外側端に位置したガイドレールの接続用ソケットに接続し、前記シートを吊下した吊車を、当該ショートレールから前記ガイドレール内に移動させて移載する、
（ト）上記のようにして搬送手段のショートレールから最上層の複数本を接続したガイドレールに順次移載した複数の前記シートを、当該ガイドレール上の所定位置に位置付けて当該シートの折畳み状態を拡開すると共に、
（チ）前記シートの最下辺のハトメを、前記最下層のガイドレールに収装した吊車が有する上向きハトメフックに掛止させ、その吊車を、前記シートを拡開する方向にガイドレール内を走行させて折り畳み状態の前記シートを拡開する、
（リ）拡開された各シートは、その最上辺に並んでいるハトメが前記足場の最上層のガイドレールが備える吊車の下向きハトメフックに掛止されると共に、足場の最下層に位置したシートの最下辺に並んでいるハトメが、当該足場の最下層に架設したガイドレールが備える吊車の上向きハトメフックに掛止されて、前記シートを足場に開閉自在に張設することを特徴とする工事用シートの設置方法。
【請求項４】
請求項１〜３のいずれかの工事用シート設置方法に用いるガードレールであって、単管等の足場部材で形成された足場の最上層と最下層に位置する縦地部材に水平姿勢で架設される前記ガイドレールは、断面略Ｕ状であって前記足場の上下層においてＵ状溝の開口を対向させて設けると共に、一端部に他のガイドレールの接続部を嵌合する接続用ソケットと該ソケットの背後に前記縦地部材に結合されるクランプを備えている一方、他端部に他のガイドレールの接続用ソケットに嵌入される接続部を形成して成り、このガイドレールの複数本を、一のガイドレールの接続用ソケットに他のガイドレールの接続部を順次嵌入して前記足場の幅方向に接続すると共に、接続される各ガイドレールの夫々のクランプを足場の縦地部材に結合することにより、前記各ガイドレールを前記足場の最上層と最下層の幅方向に接続して架設するようにしたことを特徴とするガイドレール。
【請求項５】
一のガイドレールの接続用ソケットに他のガイドレールの接続部が嵌入して接続したとき、その接続状態を保持，解除するため、前記一のガイドレールに、前記他のガイドレールの接続部に挿入，離脱されるボス状のロック部材を設けた請求項４に記載のガイドレール。
【請求項６】
接続用ソケットは、それを備えたガイドレールから分離できるように形成した請求項４又は５に記載のガイドレール。
【請求項７】
接続用ソケットと該ソケットを外嵌して備えたガイドレールは、当該ソケットとレール自体の結合状態を保持するために、接続用ソケット側からガイドレール側に挿入，離脱されるボス状のロック部材を備えた請求項６に記載のガイドレール。
【請求項８】
接続用ソケットは、平面視略Ｌ状に形成し、その角部の内側に縦地部材に結合されるクランプを有すると共に前記Ｌ状の各片に出没自在のボス状のロック部材を備えて成り、足場のコーナー部で請求項４〜７のいずれかのガイドレールに接続されるようにしたことを特徴とする略Ｌ状接続用ソケット。
【請求項９】
請求項１〜３のいずれかの工事用シート設置方法において用いるシート搬送手段であって、その搬送手段は、足場最上位のガイドレールの接続用ソケットに嵌入できる断面外形と前記ガイドレールの内面形状と同じ内面形状を備えたショートレールと、該ショートレールの上面側に設けたウィンチ等の昇降手段のワイヤ等の昇降部材に連結される吊下支持部と、当該ショートレールの断面内に収装して内部を走行できる少なくとも２個の吊車と、該吊車に首振り自在に垂設されて工事用シートのハトメを掛止するフック状の吊り金具（ハトメフック）を具備したことを特徴とする搬送手段。
【請求項１０】
ショートレールは、該レールの走行面に存在する吊車を挟んだ外方に位置した立壁に、前記吊車をそのショートレールから脱落させないピン状のストッパ部材を挿抜自在に備えた請求項９に記載の搬送手段。
【請求項１１】
ショートレールは、当該ショートレールとガイドレールの接続用ソケットが嵌合する重複部に、前記接続用ソケット側から挿抜されるボス状のロック部材が挿入されて前記ソケットとレールの接続状態を保持するボス穴を設けた請求項９又は１０に記載の搬送手段。
【発明の詳細な説明】
【技術分野】
【０００１】
本発明はビル等の建物の建設，補修，解体などの工事の際、当該建物を工事区域として囲むように設置される養生シートや防音シートなどの工事用シート（以下、工事用シートや単にシートともいう）を素早く足場に設置する方法とこのシート設置方法に用いて有用な装置等に関する。
【背景技術】
【０００２】
従来の工事用シートの設置においては、高さのある足場では高さ方向に接続した複数枚のシートを、その足場の最上階層に配置したウィンチ等で引き上げ、引き上げたシートの最上端辺のハトメを足場最上階層の単管等のパイプ材（以下、本明細書では単に「単管」という）に掛止している。そして、シートの引き上げと引き上げたシートの最上端辺のハトメでの単管への掛止という作業を、当該足場の正面，左右側面，背面の各面全域において施工し、当該足場における各面の幅方向において互に隣合って張設されているシート列を、高さ方向で隣り合って並んだハトメ同士をシート紐のような結合具で互いに結束し、建物を囲むように設けた足場全体を工事用シートで覆うように、シートを張設している。
【０００３】
従来のシート設置方式は、低層足場での作業や軽量なメッシュシートや塗装シートの作業では、足場が低くかったり、或は、取扱うシート自体が比較的軽量なことにより、シート掛けの作業／設置したシートのばらし作業（以下、これらの作業を併せて「シート設置作業」という）とも容易に施工することができる。
【０００４】
しかし、足場階層が高い場合の設置作業や重量のある防音シート等の設置作業では、資材の荷揚げやシートの吊り上げ、或は、吊上げたシートのシート掛作業に複数の作業員を動員してもかなりの作業時間が掛かってしまうという問題がある。また、重量の大きなシートの高い階層での取扱いは危険度も高くなる。しかし乍ら、例えば先行特許文献１〜３においては、このような点に配慮した技術は開示されていない。
【先行技術文献】
【特許文献】
【０００５】
【特許文献１】特許第３８６９８５２号公報
【特許文献２】特許第５２８５４７２号公報
【特許文献３】特開２０１０−１５９６１７号公報
【発明の概要】
【発明が解決しようとする課題】
【０００６】
そこで、本発明は、例えば高層階足場において１枚当りの重量が大きい防音シート等の重量シートを張設する場合であっても、省力的かつ迅速に、しかも、高い安全性の下で荷揚げやシート引上げ、並びに、引上げたシートのシート掛け作業を実現できることは勿論、水平な安全ネットの設置や現場仮囲いの上部に安全のために増設する保護シートの設置など、工事用ネットを含む工事用シートの複数種類の設置形態を実現できる新たなシート設置方法と、この設置方法で用いて有用な装置を提供することを課題とする。
【課題を解決するための手段】
【０００７】
上記課題を解決することを目的としてなされた本発明シート設置方法の具体的構成の一例は、
（イ）単管等で形成した高層足場の最上層部に位置した縦地単管にクランプによって水平姿勢で架設されるガイドレールであって、そのガイドレールは、下面が開口した側断面大略逆Ｕ状をなし、かつ、長さ方向の一端部に接続用ソケットを備えると共に他端部に他のガイドレールの接続用ソケットに嵌まる接続部を具備して成り、そのガイドレールの複数本を、先行するガイドレールの接続部に次のガイドレールの接続ソケットを順次嵌めて接続し前記足場における正面等の左右幅全域に亘り設置する、
（ロ）前記足場における最上層のガイドレールの近傍上方に、工事用シート等の仮設用資材を引き上げると共に、前記資材を引き下すための昇降機構を設置する、
（ハ）前記資材の一つは、工事用シートのハトメを掛止するハトメフックを首振り自在に備えた少なくとも２個の吊車を断面内に有する、前記ガイドレールの接続部と同断面のショートレールを主体に形成したシート搬送手段であり、該搬送手段は、当該足場の最下層から最上層の間を前記昇降機構で昇降させる、
（ニ）高さ方向で接続した少なくとも２枚の工事用シートをその高さ方向に沿って折畳み、この折畳み状態のシートを、足場の最下層に降下させた前記搬送手段に、そのショートレールが備える吊車のハトメフックに当該折畳みシート最上辺の少なくとも両端のハトメを引掛けて支持させ、この支持状態で前記昇降機構を上昇させる、
（ホ）上昇させられる搬送手段が前記足場の最上層のガイドレールと略同高に到達したら、前記搬送手段のショートレールを、前記足場の外側端に位置したガイドレールの接続用ソケットに接続し、前記シートを吊下した吊車を、当該ショートレールから前記ガイドレール内に移動させて移載する、
（ヘ）上記のようにして搬送手段のショートレールから最上層の複数本のガイドレールに順次移載した複数の前記シートを当該ガイドレール上の所定位置に位置付けて当該シートの折畳み状態を拡開する、
（ト）拡開した各シートは、その高さ方向上端辺に並んでいるハトメにおいて前記足場のガイドレールが備えた吊車のハトメフックに掛止して支持すると共に、足場の最下層に対応した位置のシートの下端辺に並んでいるハトメを、前記最上層のガイドレールとは上下逆向きに当該足場に架設したシート張設用のガイドレールが備える倒立姿勢の吊車のハトメフックに掛止して前記シートを足場に張設する、
ことを特徴とするものである。
【発明の効果】
【０００８】
（ａ）首振り自在のハトメフックを有する吊車が走行可能な断面略Ｕ状のガイドレールを、そのＵ状溝を足場の上下層において向い合せて架設し、上下のガイドレールに装備した吊車のハトメフックに、少なくとも２枚を上下で接続した工事用シート上下辺のハトメを掛止して支持するから、前記足場に設置した前記シートをガイドレール上で開閉することができる。
（ｂ）高さ方向で連結した前記シートは、その上端部を、その高さ方向に沿った折畳み状態にまとめた姿で搬送手段に吊下げ支持させ、その状態で前記搬送手段をウィンチ等の昇降機により足場の最上層に引き上げることにより、該足場の最上層に引き上げることができる。
（ｃ）引き上げた前記シートは、その上端部を、搬送手段のショートレール内から最上層に設置されているガイドレール内に、当該上端部をハトメフックで吊下している吊車を移動させて移載し、前記折畳み状態のシートを拡開（展開ともいう）することにより、足場の高さ方向において少なくとも２枚を接続したシートを一気に張設できる。このとき前記足場の縦地単管の最下部に架設されたガイドレールに挿入された吊車の上向きハトメフックに前記シートの最下辺のハトメを掛止させておくと前記シートの円滑な展開を補完することができる。
（ｄ）前記足場の左右幅方向に設ける複数本のガイドレールは、各レールの接続用ソケットと該ソケットに嵌る接続部を利用したシームレス接続方式ゆえに、前記搬送手段の吊車に吊下げたままの状態で前記ガイドレールに移載でき、ガイドレールに移載された前記シートの複数本は、接続されているガイドレールの全長（左右方向の長さ）内で所定（又は、所望）の位置に前記吊車を介して移動させることができるから、夫々の位置で各シートの折畳み状態を展開することができる。折り畳み状態の展開は前記足場最下層に架設したガイドレールにおいても、前記最上層のガイドレールにおける吊車の移動と同様である。
（ｅ）ガイドレールの所定位置において吊車に支持されている複数本のシートは、各列の（２本の縦地単管における）シート単位で当該ガイドレールの上で折畳みも展開も自在にできる。
（ｆ）ガイドレールから吊車のハトメフックにより支持され、かつ、そのレール上で展開された各シートは、各シートの左右側端のハトメ列において各シートの左右側辺が対応する縦地単管に結合するか、又は、隣り合ったシート同士を前記ハトメにおいて結合しつつ前記単管に結合することができる。
（ｇ）前記結合には、この明細書で提案した新規「結合具」を使用することにより、従来のシート紐による短管との結合（指先によるシート紐の固結び操作）に比べて格段にシートハトメの結合作業時間の短縮を図ることができ、しかも、確実，強固なハトメにおける結合を図ることができる。前記結合具は前記シートの折り畳み状態を結束する結束具としても使用できる。
【図面の簡単な説明】
【０００９】
【図１】本発明設置方法により足場に工事用シートを設置している状態を模式的に示す図で、左側端はシートが折畳み状態、その右側はシートの展開状態を示した正面図。
【図２】図１の足場の最上層と最下層の幅方向において縦地単管に接続して架設されている本発明シート設置方法に用いたガイドレールの一例の斜視図。
【図３】図２のガイドレール同士の接続態様を説明するための斜視図で、（イ）が接続前、（ロ）が接続後の斜視図。
【図４】本発明設置方法に用いるシート搬送手段と該搬送手段が具備したハトメフックの斜視図。
【図５】図４の搬送手段を昇降させるウィンチ等による昇降手段の一例の斜視図。
【図６】図５の昇降手段と図４の搬送手段と折畳み状態のシートの関係を説明するための図で、（イ）は各手段とシートが結合される前を、（ロ）が結合された後を、夫々示す斜視図。
【図７】図４のシート搬送手段と図２のガイドレールの接続の態様を説明するための斜視図で、（イ）が接続前、（ロ）が接続後の斜視図。
【図８】シート搬送手段からガイドレールへ折畳み状態のシートの移載を説明するための図で、（イ）がシートの移載時、（ロ）がシート移載後の斜視図。
【図９】図８のガイドレールに接続された搬送手段をガイドレールから取り外す状態を説明した図で、（イ）は取外し時、（ロ）は取外した後の斜視図。
【図１０】本発明設置方法を足場コーナー部に適用するためのコーナー用接続ソケットの一例の斜視図。
【図１１】図１０のコーナー用接続ソケットを足場コーナー部に取付けた例の斜視図。
【図１２】図１０のコーナー用接続ソケットにガイドレールを接続する状態を説明するための斜視図で、（イ）は接続前、（ロ）は接続後の斜視図。
【図１３】図１０のコーナー用接続ソケットを足場最下層に適用した例の斜視図。
【図１４】足場に展開して張設されたシートの折畳み例を説明するための正面図で、（イ）は折畳み中、（ロ）は折畳んだシートの結束状態の一例を示す正面図。
【図１５】本発明設置方法でハトメの結合や折畳みシートの結束に用いるベルトを使用したバックル式の結束具の一例の斜視図。
【図１６】図１５の結束具の２本をそれらの紐帯体において逢着等で結合した結束具の別例の要部の斜視図。
【発明を実施するための形態】
【００１０】
図１において、Ｗｓは、一例として多数の単管を、縦地単管１Ｖと横地単管１Ｈとしてクロスさせて組合せ、公知の単管クランプ（図示せず）で両方向の単管１Ｖと１Ｈを結合して形成した単管足場である。なお、本発明を適用できる足場Ｗｓは、単管を主体に形成されて単管足場と称されているもののほか、枠組足場、ブラケット一側足場など、単管以外のパイプ材等の足場部材を用いて形成された種々の名称の足場がある。また、使用する足場部材（資材）も単管等のパイプ材のほかに丸太やその他の金属条材や棒材などがある。よって本明細書における単管の用語は、単管とそれ以外の足場部材を含む概念として用いている。
【００１１】
図1において２は、上記足場Ｗｓに張設されたネットを含む養生シートなどの工事用シート（以下、単に「シート２」という）であり、図１においては、平行に並んだ縦地単管１Ｖの２本を１対とする４対の縦地単管１，１の間に、図１の縦方向（高さ方向）で２枚を連結したシート２が張設された状態が示されている。なお、図１の左側端部にはシート2の折畳み状態が模式的に示されている。図1において、３は後に説明する足場Ｗｓの最上層と最下層に水平に架設された本発明のガイドレール、31は前記ガイドレール３を足場Ｗｓの縦地単管１Ｖに固定するための接続用ソケット、Ｂは前記シート２のハトメ２ａを前記単管１Ｖに結合固定するためのハトメ紐である。
【００１２】
同じく図1において３は、上記足場Ｗｓにおいて、この足場Ｗｓの最上層に設けた本発明ガイドレールで、最上層の左右方向に沿って貫通するように複数本のレール３を接続態様で前記足場Ｗｓに設置するために、次の構成を備えている。
すなわち、図２に例示したガイドレール３は、断面が略Ｕ状のレール部材を、そのＵ状溝を下向きにして該溝の開口部の両側水平部を後述する吊車５２の走行面に形成していると共に、左右両端部の外形をレール本体３ａよりも少し大径のプラグ状をなす接続部３ｂ，３ｃに形成している。
そして、一方の接続部３ｂ（図２では左方）には、後述するシート搬送手段５たるショートレール５１、又は、隣接する別のガイドレール３の接続部３ｃを接続するための接続用ソケット３１（以下、単に「ソケット３１」ということもある。）が備えられている。このソケット３１も前記レール３に外嵌できる断面略Ｕ状である。なお、前記ソケット３１には、背面にジョー開閉式の単管用クランプ４（図１０に依って後述する）が設けられている。前記クランプ４は、縦地単管１にガイドレール３の接続部３ｂに外嵌されたソケット３１を固定するためのものである。また、前記ソケット３１の上面には、後述するシート搬送手段５の接続されるショートレール５１や他のガイドレール３との接続状態、或は、レール本体３ａとソケット３１の接続をロックする保持手段の例として出没式ボス状のレールロック３１ａ、３１ｂが設けられている。さらに、前記接続部３ｃの上面には、接続されるガイドレール３のソケット３１が備えたレールロック３１ａが入るボス穴３ｄが設けられている。
【００１３】
上記ガイドレール３の足場Ｗｓへの設置の仕方について、図１，図３を参照して説明する。
まず、図１の足場右側端の縦地単管１の最上部位に、レール本体３ａを有しない断面略Ｕ状の単体のソケット３１をそのＵ状溝を下向きにして背面のクランプ４で取付ける。次に、図１の右から２番目の縦地単管１Ｖに、Ｕ状溝が下向きのソケット３１付きのガイドレール３を、このレール左端の接続部３ｂに被せたソケット３１の背面にあるクランプ４において固着すると共に、このガイドレール３の右端の接続部３ｃを、前記単体のソケット３１に挿入してこのガイドレール３を２本の縦地単管１Ｖ，１Ｖの間に架設する。以下、同様にして、次のガイドレール３をそのレール本体３ａの左端接続部３ｂに外嵌結合したソケット３１において３番目の単管１Ｖに固定すると共に、右端の接続部３ｃを、先に架設したガイドレール３のソケット３１に挿入して、２本の単管１Ｖ，１Ｖに架設して行く。このガイドレール架設操作を足場Ｗｓの左側端の単管１Ｖまで実施することにより、図１の足場Ｗｓの最上層の左右方向に、ガイドレール３が、貫通した態様で設けられる。ソケット３１を介して接続される各ガイドレール３は、その継ぎ目の内面に大きな段差などがない接続であるから、後述するシート搬送手段５のショートレール５１から移動して来る吊車５２は円滑に転動することができる。
以上の説明は、ガイドレール３を足場Ｗｓの最上層に水平姿勢で架設する場合であるが、上記ガイドレール３はその断面のＵ状溝の開口を上向きにして足場Ｗｓの最下層にも架設している（図１、図１３参照）。
【００１４】
本発明において、縦列に接続したシート２を引き上げるシート搬送手段５の主要部をなすショートレール５１は、図４に例示するようにガイドレール３の接続用ソケット３１に嵌入できる断面略Ｕ状の外形で、下向きのＵ状溝の両側が吊車の走行面５１ａとなるように略水平に形成された略逆Ｕ状をなす断面形状を有し、その走行面５１ａの上に、シート２を吊下げて支持するためダブル車輪５２ａ，５２ａを有する吊車５２を少なくとも2つ備えている。
前記吊車５２は、両側の車輪５２ａの軸部を側面で支持した中央ブロック５２ｂから該ブロックの縦軸方向で回転自在（首振り自在）に垂下された大略Ｊ状乃至フック状の吊り金具５３（以下、ハトメフック５３ともいう）が設けられている。
一方、ショートレール５１は、その立壁面に横並びに複数個のピン穴５４ａを設け、ピン穴５４ａの一つに吊車５２がレール５１から離脱するのを阻止する部材として挿抜自在に設けた２本のストッパピン５４を挿抜自在に備えている。前記ショートレール５１の上面中央部には、昇降機構６の昇降部材に連結される吊下支持部５５が設けられている。また、前記レール３の上面にはガイドレール３のソケット３１に設けたレールロック３１ａのピンが挿入されるピン穴５１ｂが設けられている。
【００１５】
上記ショートレール５１が備える吊車５２と吊り金具５３（ハトメフック５３）は、このショートレール５１が、ガイドレール３のソケット３１に接続されたとき、ショートレール５１の内部からのガイドレール３の内部へ吊車５２が転動することによって移動する。つまり吊下したシート２をショートレール５１からガイドレール３に移載できるようになっている。ショートレール５１は、ガイドレール３のソケット３１に挿入して接続されるので、このショートレール５１の断面外形はガイドレール３の接続部３ｂ，３ｃと同じ断面外形であり、また、吊車５２がガイドレール３の内側へ転動することに鑑みショートレール５１の断面内形は、ガイドレール本体３ａの断面内形と同じに形成されている。
【００１６】
上述したように足場最上層のガイドレール３は、上記のようにショートレール５１から吊り金具５３（ハトメフック５３）を有する吊車５２を移載できるから、当該ショートレール５１の断面形状と同様に、下面中央に長さ方向に沿ったＵ状溝と該溝の両脇に形成した吊車の走行面を有する溝状に開いた大略逆Ｕ状断面を呈している。
【００１７】
図５，図６に示した６は、図１の足場において、最上層に設けられた横地単管１Ｈに吊下状態で設けた、例えばウィンチによる昇降機構であり、巻上げ，巻戻しされるワイヤや鎖等の柔軟な巻上条材６１の下端に、前述の折畳んだシート２をハトメフック５３で吊下したシート搬送手段５が、その上部に形成した吊下支持部５５において、前記条材６１が下端部に備えたフック６２を介して当該昇降機構６に吊下げられ、足場最上層に吊り上げられるようになっている。図５において、６３はこの昇降機構６を、最上層の横地単管１Ｈに取付けるための昇降機構６の上部に設けた取付部である。
【００１８】
本発明設置方法では、シート搬送手段５による縦列接続した折畳みシート２の吊上げ上昇に先立ち、足場Ｗｓの最上層に架設する複数本のガイドレール３などの必要資材を前記搬送手段５等により吊り上げ搬送し、最上層にガイドレール３を架設する。すなわち、図１の足場Ｗｓの右側端の縦地単管１Ｖの最上層に位置した部位に接続用ソケット３１を単体で取付け、次いで足場Ｗｓの左方に向けて並んだ縦地単管１Ｖの間に、左側端に接続用ソケット３１を備えたガイドレール３を、そのソケット３１の背面に備えたクランプ４により単管１に固定する一方、当該レール３の右側端の接続部３ｂにおいて対面した接続用ソケット３１に嵌入させる。このようにして複数本のガイドレール３を足場Ｗｓの最上層で横方向（水平方向）に接続しつつ架設する（図３参照）。
【００１９】
上記でガイドレール３などの資材を足場Ｗｓの最上層に持上げた昇降機構６は、そのフック６２に吊下支持部５５を係止させて搬送手段５を昇降させる準備をする。すなわち、昇降機構６は、その条材６１を巻戻すことにより、フック６２が足場Ｗｓの最下層にまで引き下げられる。フック６２が、足場Ｗｓの最下層に引き下げられたところで、シート搬送手段５のショートレール５１が備えた２個の吊車５２の夫々が有する２つのハトメフック５３に、高さ方向に沿って折畳んだシート２の左右幅方向の両端部に存在する２つのハトメ２ａ，２ａを引掛ける（図６参照）。前記両端のハトメ２ａ，２ａの間に位置したシート２の中間部分は、ここでは平面から見てジグザグ状に折畳み、この状態を適宜の紐（一例としてラッシングベルト）等の結束具により結束して保持すれば、当該シート２は、図１の左側に模式的に示した縦列接続シート２が高さ方向に沿って折畳まれたシート２と同等の折畳み形態になる。なお、図１の例では、シート２は高さ方向（縦方向）で２枚が接続されており、シート同士の接続部は、両シートの２の対向辺のハトメにおいてハトメ紐などの結合具により結合されている。
【００２０】
足場Ｗｓの最下層の位置において、縦方向で２枚が接続されたシート２は、そのシート２の最上辺のハトメ２ａにおいてシート搬送手段５のハトメフック５３に係止される。この状態で最下層に降ろされている昇降機構６のフック６２に吊下支持部５５において連結された前記搬送手段５は、該昇降機構６の上昇動作によって引き上げられる。これによって、縦方向で２枚が接続されたシート２は、その高さ方向に沿って折畳まれた状態で、当該シート２の上端部が足場Ｗｓの最下層から最上層に引き上げられ、図１の足場Ｗｓの左端に示された形態になる。この引き上げ高さは、搬送手段５のショートレール５１が、足場最上層に架設した前記ガイドレール３の高さと同じになるまでである。
【００２１】
上記のようにして、シート搬送手段５によって足場Ｗｓの最上層にシート２の最上端辺が引き上げられたら、当該シート２を吊下している搬送手段５のショートレール５１の側端部を、すぐ傍にあるガイドレール３の接続用ソケット３１に嵌合することにより接続する（図７参照）。ショートレール５１の側端部がガイドレール３に接続用ソケット３１において接続されると、ショートレール５１とガイドレール３の断面形状は略同等であるから、シート２をハトメフック５３で吊下支持した吊車５２を、ショートレール５１からガイドレール３に移動させることができる。つまり、折畳み状態のシート２は搬送手段５からガイドレール３に移載されるのである（図８参照）。
ガイドレール３は、足場Ｗｓの最上層において、水平方向に延びて設けられているから、ガイドレール３に移載されたシート２は、足場Ｗｓの左右方向における所望の位置のガイドレール３に移動させることができる。シート２をガイドレール３に移載させたシート搬送手段５は、ロック部材３１ａを引き上げてショートレール５１とガイドレール３のロック状態を解き、一例として図９の態様でガイドレール３から抜去して昇降機構６によって最下層に降ろす。
【００２２】
上記のようにして、足場Ｗｓの最上位の左右方向に関して所望の位置、例えば、２本を１対とする縦地単管１Ｖ，１Ｖの間にその場所のガイドレール３を介して位置付けられた各シート２は、それぞれに折畳み状態をそこのガイドレール３の上で拡開して広げ、各シート２の最上辺のハトメ２ａにハトメ結合具の一例であるハトメ紐を通し、その紐をガイドレール３に結束することにより、高さ方向で接続したシート２の足場Ｗｓへの取付けの第一段階の工程を終える。なお、ガイドレール３に、予めハトメの数に対応して挿入された吊車５２が備わっている場合には、前記ハトメ紐によるガイドレール３への結束に代えて、各吊車５２のハトメフック５３に各ハトメ２ａを掛止することができる。
【００２３】
次に、本発明設置方法の第二段階工程として、足場最上層のガイドレール３の上で拡開した各シート２の最下辺のハトメ２ａにハトメ結合具の一例としてのハトメ紐を通し、この紐を前記足場Ｗｓの最下層に横地単管１Ｈが設けられているときは該単管１Ｈに結束する。このとき、各列のシート２を下方へ引張り加減にした状態で、ハトメ紐により横地単管１Ｈに締結すると、各列のシート２を上下方向でピンと張ることができる。本発明では、前記横地単管１Ｈに代えて前記ガイドレール３と同じガイドレール３を、そのＵ状溝を上向きにして足場Ｗｓの最下層に架設し、このレール３に挿入した吊車５２の上向きハトメフック５３に前記シート下端のハトメ２ａをハトメ紐で結束するようにすることもできる。
【００２４】
上記のように足場Ｗｓにおける平行な縦地単管１Ｖの各ペアの間に在る各列のシート２の最下辺のハトメ２ａを足場最下層の横地単管１Ｈにハトメ紐により結合することに代えて、本発明では次のような形態を採ることができる（図１、図１３参照）。
すなわち、最下層に設けた横地単管１Ｈに代えて、足場Ｗｓの最上層で使用した前記ガイドレール３を、そのＵ状溝の向きを上向き（略Ｕ状）にして各縦地単管１Ｖ，１Ｖのペアの間に架設し、架設したガイドレール３に収設した吊車５２から上向きに突出したハトメフック５３に、前記シート２の最下辺のハトメ２ａを支持させるのである（図１３参照）。シート２の最下辺をこのように支持することにより、Ｕ状溝を上向きにした前記ガイドレール３を縦地単管１Ｖに関して下方へ押下げ、当該レール３の上下位置の調節をすると、シート２をピンと張ることができる。このようにシート２を上下方向でピンと張った状態にしてからそのガイドレール３を左右の縦地単管１Ｖ，１Ｖにクランプ４で固定すると、シート２を足場Ｗｓにピンと張った状態で整然と設置することができる。
【００２５】
以上の説明は、図１に例示した足場Ｗｓの正面（一面）に、本発明によるガイドレール３、及び、シート搬送手段５と昇降機構６を用いて、シート２を迅速かつ安全裡に前記ガイドレール３にピンと張った状態で張設する一方、そのシート２の張りを緩めて例えばカーテンのようにガイドレール３の上で折畳むことができるようにした本発明シート設置方法の一例についてであった。
【００２６】
一般的な足場Ｗｓは、当然のこと乍ら工事現場区域を平面から見て周囲を囲ってしまうように設けられることが最も多い。この場合の足場には、少なくとも４箇所のコーナー部（出隅）が生じる。
本発明は、上記のようなコーナー部（出隅）に本発明のシート設置方法、並びに、ガイドレール３を好適に適用することができるコーナー用接続ソケット７を提供するので、以下に本発明のコーナー用接続ソケット７について説明する。
【００２７】
図１０に本発明に用いるコーナー用接続ソケット７の一例の姿を斜視図で示す。
図１０のコーナー用接続ソケット７は、図２に示すガイドレール３の右側の接続部３ｃが嵌入できる断面形状を有し、かつ、ガイドレール３と同様に下面中央が下向き溝ｇとなる断面略逆Ｕ状でその溝の両側を走行面ｒに形成した２つの角パイプ状のソケット部材７１，７２を直角に結合した基本態様に形成されている。
【００２８】
２つのソケット部材７１，７２が交わす角部の内面側には、図２のガイドレール３のクランプ４と同旨のクランプ８が設けられている。また、２つのソケット部材７１と７２の入口に近い側の上面には、図２のガイドレール３の接続用ソケット３１に備わっているロック部材３１ａ，３１ｂと同様の進出側に付勢するバネ力で進退自在にしたピン状のロック部材７１ａ，７１ｂが設けられている。このロック部材７１ａ，７１ｂは、このソケット７に接続されるガイドレール３の接続部３ｃに設けたボス穴３ｄに対して進退する。
【００２９】
上記の構成を備えたコーナー用接続ソケット７は、図１１に例示するように、足場Ｗｓにおける右又は左隅部の縦地単管１Ｖに、そのクランプ８により結合される。前記単管１Ｖに結合された前記ソケット７は、一例として図１２に示すように、図の左方のソケット部材７１にガイドレール３の接続部３ｃを嵌入して接続する。この嵌入においては、図１２に示すように、ロック部材７１ａを手で引き上げた状態でガイドレール３の接続部３ｃをソケット部材７１に挿入し、接続部３ｃの挿入、位置決めができたら、ロック部材７１ａから手を放してバネ力で下ろし、ガイドレール３の接続部３ｃをソケット７から抜けないようにそこでロックする。
【００３０】
上記のコーナー用接続ソケット７は、図示しないが、他方のソケット部材７２にガイドレール３が接続されることもある。また、図１０〜図１２で説明したコーナー用接続ソケット７は、足場Ｗｓの出隅に対応するためのものであるが、本発明では上記接続ソケット７を入隅のコーナー用接続ソケット（図示せず）に変形して用いることができる。
【００３１】
入隅のコーナー用接続ソケットは、図示しないが、図１０のコーナー用接続ソケット７と比べ、クランプ８がソケット部材７１，７２の接合角部の外側に設けられる点で図１０の例と異なる。
【００３２】
上述したように、本発明設置方法によれば、足場Ｗｓの幅方向に設置する少なくとも２枚を縦に接続した各列のシート２を、足場Ｗｓの上下部の間に迅速かつ合理的に張設できるが、本発明方法のシート張設では、シートを上下方向でピンと張る前に、第三段階の工程として各列のシート２の左右側のハトメ２ａを、各ハトメ２ａが対応している縦地単管１Ｖにハトメ紐などにより結束する。上記第三段階の工程を経て本発明による工事用シートの張設工程を完了する。
本発明は以上の通りであるから、足場Ｗｓの各面の全域に、工事用シート２を省力的、かつ、作業効率よくピンと張った状態で整然と設置することができ、設置した後必要に応じて前記シートを足場上で折りたたむ等の収納状態にできる。
【００３３】
本発明では、図１４に例示したように、足場Ｗｓにおける最上層において水平方向に接続して架設した溝が下向きのガイドレール３と足場最下層において水平方向に接続して架設した溝が上向きのガイドレール３の間に、高さ方向で接続されたシート２の列が、足場Ｗｓの幅方向においてもハトメ同士で接続されて設置されると、隣接した列で接続されたシート２は、前記上，下層のガイドレール３，３の吊車５２がそのレール内で走行可能であるから、隣同士で接続されたシート２は、上，下のガイドレール３，３の間で、例えばカーテンを開くような態様で折畳み展開することができる。
例えば、図１４（イ）の上方の左に部分拡大斜視図で示したように、シート２の左側端部を中心に右方のシート２をロール状に巻込んで、ラッシングベルト等の結束具ＬＢで巻込んだシート２を結束したり、或は、図１４（イ）の上方の右図のようにシート２の右方側からシート２をジグザグ上に折畳み、折畳んだシート２をラッシングベルト等の結束具ＬＢで結束することにより、図１４（ロ）に示すような収納（縮小）状態にすることができる。
本発明によれば、足場Ｗｓに張設されたシート２を図１４に例示した態様で当該足場Ｗｓの上で折畳み収納できるから、工事途中などにおいて、工事区域内の空気の流通や採光を良くしたい場合などに容易かつ迅速に対応できる。
【００３４】
以上の本発明設置方法により足場Ｗｓの全面に張設された工事用シート２のバラし作業は次の手順で行う。
まず、搬送手段５のショートレール５１を最も外側にあるガイドレール３の接続用ソケット３１に接続して、ガイドレール３にあるシート２の吊車５２を、前記ショートレール５１の側へ移動させ、この状態で搬送手段５を吊下げた昇降機構６のワイヤ等の条材６１を巻戻すことにより、このシート２の最上辺を地上に降ろす。このようにして、ガイドレール３の列の中にある各シート２を順次搬送手段５のショートレール５１に移し、昇降機構６のワイヤ等の条材６１を巻戻して最下層側に降ろすことにより、各シート２を地上に降ろすことができる。
【００３５】
以上のように本発明では、地上から足場Ｗｓの最上層に搬送手段５と昇降機構６によってシート２を引き上げ、引き上げたシート２の最上辺のハトメ２ａを最上層のガイドレール３の吊車５２のハトメフック５３に吊下支持させると共に、そのシート２の最下辺は、その辺のハトメ２ａを足場Ｗｓの最下層に上向きに設けたガイドレール３の吊車５２のハトメフック５３に掛止させるが、足場Ｗｓにおける２本の縦地単管１Ｖ，１Ｖの間でガイドレール３に吊下されたシート２は、隣接するシート２と両シート２，２の左右側辺に設けられているハトメ２ａにおいてハトメ紐（図示せず）により接合されるか、或は、各シート２ごとに左右の縦地単管１Ｖにハトメ紐によって結束されることにより、足場Ｗｓに設置される。因みに、図１４は各列のシート２の縦方向辺のハトメ２ａ同士がハトメ紐で結ばれて接合された例である。
【００３６】
本発明では、各シート２の左右側辺に縦方向に並んだハトメ２ａを縦地単管１Ｖに結束したり、或は、巻込んだり折畳んで縮小したシート２（図１４参照）を結束するのに好適なラッシングベルトのような結束具ＬＢを一例として図１５のように構成したので、以下、結束具ＬＢの一例について、図１５により説明する。
【００３７】
従来、シート２の足場Ｗｓへの張設において、そのシート２の外周にあるハトメ２ａを単管１Ｖ，１Ｈに結束したり結合するための手段として使用されていた最も一般的な手段は、ナイロン繊維製の編紐によるシート結束用のハトメ紐であった。
しかし、この紐は腰がないやわらかい紐であるため、小径のハトメ２ａに通すにはコツが必要であり、急いでハトメ２ａに通そうとすると紐の先端側がハトメ２ａの穴のまわりに当ったりして曲がってしまい、円滑な結束作業が行い難かった。特に、縦地単管１Ｖに結合されるシート２のハトメ２ａは、１本の単管１Ｖに対し左右のシート２，２のハトメ２ａ，２ａに紐を通した上で、当該単管１Ｖに紐を結束する作業であるため、作業に手間取りその効率の改善が要請されていた。
【００３８】
そこで本発明では、図１５に例示したように、ハトメ２ａに通す手間を省力的に改善できると共に単管１Ｖ，１Ｈに結束する手間、或は、巻き込んだり折畳んで縮小したシート２をその状態で結束する手間を省くことができる構造を備えたラッシングベルト状の結束具ＬＢを提案する。すなわち、図１５の結束具は、一例としてナイロン繊維を編成して形成した厚さ約１ｍｍでハトメの内径よりわずかに狭い幅１０ｍｍの平ベルト状をなす帯紐体９と、この帯紐体９の一端部に取付けたバックル体１０とから構成されている。なお、帯紐体９の前記寸法は一例であるからこれに限定されるものではない。
【００３９】
バックル体１０は、前後に固定壁部１０ａと１０ｂを有すると共に、上，下が開放１０ｃ，１０ｄされた大略ボックス状の固定部１０Ａと、該固定部１０Ａの内部の前半側に捩りバネ１０ｆを介して固定部１０Ａの左右の壁に胴部１０ｇを軸止１０ｅした可動部１０Ｂとから成り、可動部１０Ｂは、前記の軸止１０ｅされた胴部１０ｇと、該胴部１０ｇの周上に該胴部と一体に形成した舌片状の操作部１０ｈと、前記胴部１０ｇの前面であって前記固定部１０Ａの前方の固定壁部１０ｂとの対向面に歯形状粗面を備えたカム形状の押圧面１０ｉを具備して成る。なお、前記固定壁部１０ｂの前記押圧麺１０ｉとの対向面は横縞状の粗面に形成されている。またバックル体１０の左右幅は作業者の手の親指が左右の壁の内側に入る程度であることが好ましい。操作部１０ｈを深く押し下げるためである。
【００４０】
上記バックル体１０は、前記操作部１０ｈを指で押下げて胴部１０ｇを回転させ、押圧面１０ｉを固定壁部１０ｂから離間する側に変位させているとき、前記帯紐体９を変位した押圧面１０ｉと固定壁部１０ｂの間に形成された隙間に通し、通した後に前記操作部１０ｈから指を放すと、押圧面１０ｉがバネ１０ｆの反撥力で元に戻るから、前記押圧面１０ｉと固定壁部１０ｂの粗面が対向して狭くなる隙間に、前記帯紐体９が挟持され、この挟持状態が前記バネの力と粗面の作用で確保されるようになったものである。
【００４１】
上記結束具ＬＢは、帯紐体９がナイロン繊維を編成した平ベルト状であって編成による硬さを具備しており、かつハトメ２ａの穴径よりわずかに小さい幅であるから、小径のハトメ２ａであっても通し易く、また、バックル体１０は固定部１０Ａと可動部１０Ｂの粗面の協働作用で、このバックル体１０に通した前記帯紐体９を強固に保持することができるから、シート２のハトメ２ａに通した当該ベルトＬＢを縦，横の単管１Ｖ，１Ｈに強固に結束することができ、また、足場Ｗｓに設置した状態で折り畳んだり巻き込んで縮小化したシート２をこの結束具ＬＢによって迅速かつ強固に結束することができる。
【００４２】
本発明では、縦列方向で上下に接続される２枚のシート２の上下辺で対向するハトメ２ａ同士を結束するのに便利な結束具として、上記結束具ＬＢの２本を結合ＣＢして形成した図１６に例示する結束具ＬＢ−２を使用することがある。
すなわち、２本の上記結束具ＬＢをバックル体１０に近い紐帯体９において逢着等で結合ＣＢしてハトメ２ａ同士を結合するときに使用して有用な結束具ＢＬ−２としたのである。この結束具ＢＬ−２では、一方の紐帯体９を一方のハトメ２ａに通しその紐帯体９を一方のバックル体１０に通して固定し、他方の紐帯体９を他方のハトメ２ａに通してその紐帯体９を他方のバックル体１０に通して固定することにより、結合された２本の結束具ＢＬが二つのハトメ２ａ同士を結束できるのである。この結束具ＬＢ−２はハトメ同士の結合に使って有用であるから、現場でよく行われるシート盛替え作業でのハトメ同士の結合を迅速かつ正確、強固に行うことができる。紐帯体９の結合ＣＢは逢着のみならずリベット止など適宜の結合手段を用いることができる。
従来ハトメ同士の結合には柔らかいナイロン製の編紐を使っていたので、その紐をハトメに通すにはコツが必要で迅速な穴挿通がやりにくいためシート盛替えの作業効率のネックであり、また縛ってもナイロン製ゆえに延びたり緩み易いという難点があったが、上記結束具ＬＢ、ＬＢ−２にはそのような難点はない。また従来のナイロン製紐のように使い捨てではなく繰り返し使用ができるからこの点でも合理的である。
【００４３】
次に、先に説明した本発明設置方法で用いるガイドレール３の別の使用態様について説明する。
前記ガイドレール３は、その断面内を走行する吊車５２を設け、その吊車５２が首振り自在のハトメフック５３を具備していることにより、図示しないが、ガイドレール３を、その底の溝を横向き（吊車５２とハトメフック５３も横向き）にして、平面から見て矩形状をなすように足場Ｗｓに架設することができ、これにより平面視矩形状に配置されたガイドレール３の吊車５２のハトメフック５３に、水平姿勢の転落防止ネット（図示せず）を、その外周上のハトメ等の被支持部において掛止すれば、空中の水平面内に敷設されるネット等を足場Ｗｓに水平姿勢で張設することができる。
【００４４】
また、本発明ガイドレール３は、その断面内を走行可能な吊車５２を有し、その吊車５２は首振り自在のハトメフック５３を具備しているから、現場に設置されているパネル等による仮囲い壁の高さが不足する場合に、その仮囲いの縦地単管等の縦地部材に、仮囲いパネルより高い位置において先の実施例と同じ要領でガイドレール３を架設し、このレール３が備える吊車５２のハトメフック５３に例えば防護ネット等のシート材を吊下して設けることにより、仮囲い壁の内側から飛散する様々な物が仮囲い壁の外へ飛び出るのを有効に防止することができる。しかも、この防護ネット等のシート材は、吊車５２のハトメフック５３に吊下支持されているから、ガイドレール３に沿って開閉することもできて便利である。
【符号の説明】
【００４５】
Ｗｓ  足場
１Ｖ  縦地単管
１Ｈ  横地単管
２  工事用シート
２ａ  ハトメ
３  ガイドレール
３ａ  レール本体
３ｂ，３ｃ  接続部
３１  接続用ソケット
３１ａ，３１ｂ  ロック部材
４  ソケット３１のクランプ
５  シート２の搬送手段
５２  吊車
５３  ハトメフック
６  昇降機構
７  コーナー用接続ソケット
８  ソケット７のクランプ
ＬＢ、ＬＢ−２  結束具
９  帯紐体
１０  バックル体
【図１】
0006452995.tif 000002
【図２】
0006452995.tif 000003
【図３】
0006452995.tif 000004
【図４】
0006452995.tif 000005
【図５】
0006452995.tif 000006
【図６】
0006452995.tif 000007
【図７】
0006452995.tif 000008
【図８】
0006452995.tif 000009
【図９】
0006452995.tif 000010
【図１０】
0006452995.tif 000011
【図１１】
0006452995.tif 000012
【図１２】
0006452995.tif 000013
【図１３】
0006452995.tif 000014
【図１４】
0006452995.tif 000015
【図１５】
0006452995.tif 000016
【図１６】
0006452995.tif 000017